(57)【要約】【課題】農業用簡易温室又はこれに類する各種温室や建屋の出入り口を開閉する引き戸の開動作を足踏みペダル等の操作により自動的に行わせる半自動開ドア装置を提供する。【解決手段】駆動パイプ１１は、その上端部が引き戸９より上方の温室構成材３に回転自在に連結されて吊り下げられ、駆動パイプ１１の下端部にガイドローラ１３が取り付けられ、前記ガイドローラ１３は、引き戸９の縦材９ｂに取り付けられたガイドレール材１４に沿って移動可能に組み合わされ、駆動パイプ１１の下方寄り位置に駆動用バネ１６の一端が連結され、その他端は前記駆動用バネ１６が引き戸９を全開位置まで移動させる自開力が働く角度で温室構成材３に止着され、引き戸９を全閉位置に止めるストッパー機構１９、及び前記ストッパー機構１９を開放させる開制御手段２０が設置されて成る。【選択図】図２
2010019041.tif 000002
【特許請求の範囲】
【請求項１】
簡易温室の出入り口の引き戸を開く半自動開ドア装置であって、
駆動パイプの上端部が引き戸より上方の温室構成材に回転自在に連結されて吊り下げられ、駆動パイプの下端部にガイドローラが取り付けられ、前記ガイドローラは、引き戸の縦材に取り付けられたガイドレール材に沿って移動可能に組み合わされていること、
前記駆動パイプの下方寄り位置に駆動用バネの一端が連結され、その他端は前記駆動用バネが引き戸を全開位置まで移動させる自開力を働く角度で温室構成材に止着されていること、
引き戸を全閉位置に止めるストッパー機構、及び前記ストッパー機構を開放させる開制御手段が設置されていることを特徴とする、簡易温室の半自動開ドア装置。
【請求項２】
開制御手段は、ストッパー機構の掛け止め機能を解除するブレーキワイヤーと、同ブレーキワイヤーを一定のストロークで引っ張る足踏みペダル機構又は押しレバー機構とで構成されていることを特徴とする、請求項１に記載した簡易温室の半自動開ドア装置。
【請求項３】
駆動パイプには軸方向の長さを調整可能な伸縮機構が設けられていることを特徴とする、請求項１に記載した簡易温室の半自動開ドア装置。
【請求項４】
駆動用バネの自開力は、引き戸の開放時に必要とする初動力よりも大きく、全開位置の近傍で零となる大きさに設定され、該駆動用バネは駆動パイプの回転円弧において前記自開力が零となる位置の接線方向に他端が止着されていることを特徴とする、請求項１に記載した簡易温室の半自動開ドア装置。
【発明の詳細な説明】
【技術分野】
【０００１】
この発明は、農業用簡易温室又はこれに類する各種温室や建屋（以下、簡易温室と総称する）の出入り口を開閉する引き戸を開く半自動ドア装置の技術分野に属し、更に云うと、引き戸の開動作を足踏みペダル等の操作により自動的に行わせる半自動開ドア装置に関する。
【背景技術】
【０００２】
従来、引き戸の半自動ドアとしては、手で開けた引き戸を自動的に閉じる所謂自閉式の半自動ドアが広く知られ実用に供されている。例えば、下記の特許文献１、２に自閉式の半自動ドアが開示されて公知である。
しかし、簡易温室の出入り口に設けられている引き戸に関しては、自動的に開ける所謂自開式の半自動ドア装置の必要性が極めて高い。というのも簡易温室の引き戸を開けて入室又は退室する際に、利用者は手荷物や道具類を持っており、両手が塞がっていることが多い。そうした場合、従来の自閉式の半自動ドアでは、収穫物や肥料類、あるいは農耕具類を一端地面に下ろしてドアを手動操作により開け、前記手荷物を持って出入りを行うという面倒で手間の掛かる手順が要求される。この点は手押し台車を押して簡易温室へ出入りする場合でも全く同じであり、引き戸を開く度に手押し台車を置いて操作しなければならない。
【０００３】
ところで、特許文献３に記載した発明では、引き戸を開ける際に、開動作を補助する装置が取り付けられている。この補助装置は、引き戸と、引き戸の閉鎖時に隣接する柱枠の何れか一方に、引き戸の開く方向に弾性力を発揮するスプリング式の自開機構が出没自在に埋設された構成とされ、引き戸を閉じるとスプリング材が圧縮されて自開力を蓄積して、その自開力を引き戸の開く方向に常時作用させておく。引き戸の閉鎖状態を保持するラッチを手で解除すると、自開機構がバネ作用で引き戸を少し開いた状態に開放できる構成が開示されている。
【特許文献１】特開平１０−２１２８６４号公報
【特許文献２】特開２００１−８２０２３号公報
【特許文献３】特開平１１−２８０３２９号公報
【発明の開示】
【発明が解決しようとする課題】
【０００４】
上述した特許文献３の発明は、スプリング材に自開力を蓄積し、ラッチを解除すると自開機構が自動的に引き戸を開く方向へ移動させる点は注目できる。しかし、簡易温室の引き戸を出入り可能にまで開けるためには、やはり、利用者が一旦荷物類を地面に下ろすとか、又は台車を置く動作が必要となり、面倒で手間が掛かる手順が依然として残っている。
また、この発明はあくまで引き戸を少し開ける補助装置としての役割であり、引き戸を
少し開いた状態まで開放できるに止まる構成である。したがって、荷物を載せた台車を運び入れたり又は運び出す際にはやはり手で引き戸を全開状態にしないと、半開きの引き戸にぶつけたり、載せた荷物を落下させてしまう虞がある。
【０００５】
上述したように、簡易温室の引き戸の開動作を全開位置まで自動で行わせる自開式の半自動ドア装置の必要性や利用価値は高いが、簡易温室である故の、安価で、安全で、簡易に軽便に使用でき使い勝手もよく費用対効果を満足させるものは未だ見当たらず、早急な開発が求められている。
【０００６】
本発明の目的は、簡易温室の引き戸をワンタッチ操作により全開位置まで自動的に開かせる簡易温室の半自動開ドア装置を提供することであり、費用対効果を満足させる程度に安価で、安全に軽便に使用でき、使い勝手がよく汎用性の高い簡易温室の半自動開ドア装置を提供することにある。
【課題を解決するための手段】
【０００７】
上記した背景技術の課題を解決するための手段として、請求項１に記載した発明に係る引き戸の半自動ドア装置は、
簡易温室の出入り口の引き戸を開く簡易温室の半自動開ドア装置であって、
駆動パイプの上端部が引き戸より上方の温室構成材に回転自在に連結されて吊り下げられ、駆動パイプの下端部にガイドローラが取り付けられ、前記ガイドローラは、引き戸の縦材に取り付けられたガイドレール材に沿って移動可能に組み合わされていること、
前記駆動パイプの下方寄り位置に駆動用バネの一端が連結され、その他端は前記駆動用バネが引き戸を全開位置まで移動させる自開力が働く角度で温室構成材に止着されていること、
引き戸を全閉位置に止めるストッパー機構、及び前記ストッパー機構を開放させる開制御手段が設置されていることを特徴とする。
【０００８】
請求項２記載の発明は、請求項１に記載した引き戸の半自動ドア装置において、
開制御手段は、ストッパー機構の掛け止め機能を解除するブレーキワイヤーと、同ブレーキワイヤーを一定のストロークで引っ張る足踏みペダル機構又は押しレバー機構とで構成されていることを特徴とする。
【０００９】
請求項３記載の発明は、請求項１に記載した簡易温室の半自動開ドア装置において、
駆動パイプには軸方向の長さを調整可能な伸縮機構が設けられていることを特徴とする。
【００１０】
請求項４記載の発明は、請求項１に記載した簡易温室の半自動開ドア装置において、
駆動用バネの自開力は、引き戸の開放時に必要とする初動力よりも大きく、全開位置の近傍で零となる大きさに設定され、該駆動用バネは駆動パイプの回転円弧において前記自開力が零となる位置の接線方向に他端が止着されていることを特徴とする。
【発明の効果】
【００１１】
請求項１〜４に記載した発明に係る簡易温室の半自動開ドア装置は、
下端部にガイドローラ１３を取り付けた駆動パイプ１１の上端部を温室構成材３に回転自在に連結し、前記ガイドローラ１３を引き戸９の縦枠９ｂに取り付けたガイドレール材１４に沿って移動可能に組み合わせ、この駆動パイプ１１に駆動用バネ１６の一端を連結し、他端は引き戸を全開位置まで引っ張る自開力が働く角度で止着し、引き戸９を全閉位置に止めるストッパー機構１９を設置して使用されるから、開制御手段２０のワンタッチ操作で、引き戸９は駆動用バネ１６の働きで全開位置まで自動的に開かれるので、人の出入りや手押し台車の出入りに至便である。前記開制御手段２０は、荷物で両手が塞がった利用者、手押し台車を押す人が腕や足で操作しやすい足踏みペダル機構２２や押しレバー機構として出入り口の適所へ設備しておくので、すこぶる使い勝手が良く、手荷物を持ったまま又は手押し台車を押したままの姿勢で速やかに自由に出入りができる。
開いた引き戸９は、閉じるべき時期に手で閉じる。その場合、引き戸９を閉じる初動時に駆動用バネ１６の作用力は殆ど働いていないので、通例必要とされる初動力で引き戸９を閉じ始めると、後は軽い力でストッパー機構１９に止められるまで働かせばよい。
【００１２】
本発明の簡易温室の半自動開ドア装置は、無電源で、且つ安価で入手しやすい簡易構造の部材を組み合わせた構造なので、新設又は既存の簡易温室の引き戸として費用対効果を満足させる程度に安価に軽便に設置でき、農地に立てられた簡易温室へその場所や環境を懸念することなく設置して、簡易温室の用途に即して軽便に且つ安全に使用できる。
【００１３】
また、本発明の簡易温室の半自動開ドア装置は、必要に応じて引き戸９に対する着脱を容易に行えるので、点検やメンテナンスに至便である。のみならず異なる簡易温室の出入り口を開閉する引き戸や、引き戸窓にも転用することが容易にできる汎用性があり経済的である。
即ち、駆動パイプ１１には長さを調整可能な伸縮機構１２が取り付けられているので、様々な大きさの引き戸においても容易に対応して実施できるし、上記駆動パイプ１１の取付位置や駆動用バネ１６の取付位置を調整することで既存の引き戸に適切な自開力に容易に調整できるからである。
【発明を実施するための最良の形態】
【００１４】
駆動パイプ１１は、その上端部が引き戸９より上方の温室構成材３に回転自在に連結されて吊り下げられ、駆動パイプ１１の下端部にガイドローラ１３が取り付けられ、前記ガイドローラ１３は、引き戸９の縦材９ｂに取り付けられたガイドレール材１４に沿って移動可能に組み合わされている。
前記駆動パイプ１１の下方寄り位置に駆動用バネ１６の一端が連結され、その他端は前記駆動用バネ１６が引き戸９を全開位置まで移動させる自開力が働く角度で温室構成材３に止着されている。
引き戸９を全閉位置に止めるストッパー機構１９、及び前記ストッパー機構１９を開放させる開制御手段２０が設置されている。
【実施例１】
【００１５】
次に、本発明を図示した実施例に基づいて説明する。
先ず、図１は、温室構成材３により組み上げた簡易温室１（所謂ビニルハウス）の妻面に設けられた出入り口２が、２枚の引き戸９、９で開閉される場合に本発明の半自動ドア装置を実施した例を示している。
【００１６】
図２に、簡易温室の半自動開ドア装置の全体構成を示し、図３に図２のＩ−Ｉ線矢視の断面図を示した。
図示した引き戸９は、一般的に使用されている下レール走行型引き戸で、前記出入り口２の下縁と上縁に沿って引き戸９を拘束し案内する上位のガイドレール４と下位のスライド用レール５がそれぞれ設置されている。図３に示したように、上位のガイドレール４は、倒立した溝型鋼状部材で構成され、レール受け６とＵボルト７を使用して上記温室構成材３の支柱８へボルト接合されている。下位のスライド用レール５は横断面形状が略ハット形鋼状レールが使用され、地面に埋め込んで設置したレール受け６とＵボルト７を用いて前記支柱８へ強固にボルト接合されている。
【００１７】
前記上位のガイドレール４と下位のスライド用レール５の間に建て込まれた引き戸９は、下辺を形成する倒立した溝型鋼状のフレーム９ａと型材を縦材９ｂ、横材９ｃに使用してそれぞれを枠体に連結して構成されている。前記下辺のフレーム９ａの中空部内の両端部に、前記スライド用レール５の中高凸部５０の上に跨る形に乗る凹溝形状の戸車１０がボルト接合により取り付けられ、同戸車１０が中高凸部５０の上を転がって引き戸９を開閉移動させる構成とされている。
【００１８】
本発明の簡易温室の半自動開ドア装置の構成としては、引き戸９の開閉移動を先導する駆動パイプ１１が、その上端部を引き戸９より上方の温室構成材３に回転自在に連結されている。本実施例では図３に示したように、上述した上位のガイドレール４を支柱８へ連結する際に用いた上記レール受け６のＵボルト７を利用して駆動パイプ１１を温室構成材３へ連結している。即ち、Ｕボルト７に座金７０を用意したうえで、前記駆動パイプ１１の上端部に設けた貫通孔を同Ｕボルト７へ差し入れ座金７１とナット７２で締め付けることで、駆動パイプ１１がＵボルト７を軸に回転自在に連結されている。
【００１９】
前記駆動パイプ１１の下端部にガイドローラ１３が取り付けられている。前記ガイドローラ１３は、引き戸９の戸尻側の縦材９ｂであって、図５Ｂに示すように、駆動パイプ１１の回転に伴う移動の範囲Ｌをカバーする長さ、図示例では引き戸９の下端から中央部に及ぶ長さで取り付けられたガイドレール材１４に沿って上下方向に移動可能に収納されている。但し、ガイドレール材１４の取付位置はこの限りではない。例えば吊り式の引き戸においては、中央から上方位置に亘って設けることも好適に実施される。
【００２０】
前記ガイドローラ１３と駆動パイプ１１との連結は、図４Ａ、Ｂに詳示したように、ガイドローラ１３の片面中央から突き出た支軸１５に、ナット１５ｂと座金１５ａを用意した上で、駆動パイプ１１の下端部に設けた貫通孔が差し入れられ、座金１５ａとナット１５ｂで締め付けることで連結されている。
【００２１】
前記ガイドレール材１４は、Ｌ字形状の２つの鋼材１４ａ、１４ｂを背中合わせにして連結し、その一方のフランジ部を引き戸９とボルト接合し、他方のフランジ部をレールの片側に利用する構成である。図示の通り、引き戸９の縦材９ｂのフランジ部をレールの他側に利用することで、両者フランジ部の間にガイドローラ１３を移動可能に収納できる。勿論、Ｃ型鋼状をガイドレール材１４として使用することも好適に実施される。
【００２２】
前記駆動パイプ１１には、大きさの異なる引き戸９に対応させるため、その軸方向の長さを調節する伸縮機構１２が設けられている（請求項３記載の発明）。伸縮機構１２は、例えば駆動パイプ１１の中空部内に小径の駆動パイプ１１ａを収納しておき、必要な長さ分だけ小径の駆動パイプ１１ａを引き出しキャップで固定する構成とされている。
【００２３】
上記のようにガイドレール４とガイドレール材１４に支持された駆動パイプ１１は、自開力が強く働く下方寄り位置に駆動用バネ１６の一端が連結されている（図２参照）。この駆動用バネ材１６の駆動パイプ１１への連結箇所としては、上記したように下方へ取り付けるほど自開力が効果的に働き、上方へ上げるほど自開力の有効性が弱まるので、その取付位置を調整することで自開力を適宜微調整できる。   
前記駆動用バネ材１６の他端は、前記駆動用バネ１６が引き戸９を全開位置まで移動させるだけの自開力が働く角度と位置で温室構成材３へ止着されている。
【００２４】
ここで、前記駆動用バネ１６の温室構成材３への止着角度を図５により説明する。
図５Ａに引き戸９を開く際に必要な作用力（自開力と云う）の変化Ｐ１、Ｐ２と、駆動用バネ１６の引張り弾性力Ｑとを引き戸の開度との関係で示し、図５Ｂには、駆動パイプ１１と駆動用バネ１６の作用状態を示した。
図５Ａは要するに、全閉位置の引き戸９を開ける当初に必要な自開力Ｐ１は、静止から転がりへ移るまで約５ｋｇの作用力を必要とするが、一旦開き始めると運動慣性により約半分の２．５ｋｇ程度で開動作を続く。全開位置へ近づくと前記運動慣性のみでゆっくりと静かに閉じさせることを示す。こうした引き戸９の開動作を前提として、駆動用バネ１６の引張り弾性力Ｑは、引き戸９の開放時には、同引き戸９が必要とする初動力（５ｋｇ／Ｎ）より大きい６ｋｇ／Ｎで働くように設定する。
そして、引き戸９が全開位置に近づいたとき、例えば引き戸９の開放率７５％のところで零となるように設定すると、引き戸９はやはり運動慣性（惰性）で減速しながら全開位置へゆっくり移動して、全開時に戸当たりに大きな衝撃を与えることがない。
【００２５】
上記のように引き戸９の弾性力Ｐ、駆動用バネ１６の弾性力Ｑを作用させる構成としては、図５Ｂに示すように、駆動用バネ１６の他端は、駆動パイプ１１の回転円弧において前記弾性力Ｑが零となる円弧上の位置Ｒの接線方向に止着するとよい。
つまり、駆動用バネ１６はＲ点まで引張り弾性力が働く角度に設置すれば良く、前記Ｒ点における駆動パイプ１１の駆動用バネ１６の取付位置Ｓ点と温室構成材３との直交する接点Ｔを導き出し、この接点Ｔと駆動パイプ１１のバネ取付位置の初期位置Ｕ点とを結んだ方向線Ｖの角度で温室構成材３へ止着することになる。
【００２６】
次に、上記駆動用バネ材１５の自開力を保持して引き戸９を全閉位置に止めるストッパー機構１７、及び前記ストッパー機構１７を開放して引き戸９を全開する開制御手段２０について説明する。
前記ストッパー機構１７は、図６に示すように、前記引き戸９の縦枠９ｂが形成する溝型の下端部に固定したＬ字形状の受け部材１８と、前記受け部材１８へ掛け止めて引き戸９の全閉状態を保持し、後記の開制御手段２０で前記受け部材１８から離れるフック金具１９とで構成されている。
このフック金具１９は、前記受け部材１８を掛け止める鈎部１９ａと、受け部材１８を掛け止める方向（矢印上方）へ常に力を働かせる巻きバネ部１９ｂを有し、更に、後記の開制御手段２０による引っ張り移動を許容する長孔１９ｃが設けられている。
【００２７】
前記構成のフック金具１９を開放する開制御手段２０は、前記フック金具１９の中央位置に連結され矢印方向（下方）に引っ張って掛け止め機能を解除するブレーキワイヤー２１と、同ブレーキワイヤー２１を一定のストロークで引っ張る足踏みペダル機構２２とで構成されており、その作用原理は、例えば自転車のブレーキ機構等に使用されているもの同様である。前記開制御装置２０は、簡易温室の外側と内側の２箇所に設けられており、利用者が室外から室内へ入る又は室内から外へ出る際に使用できる構成である。
【００２８】
上記ストッパー機構１７と開制御装置２０の動作としては、例えば、図１に示す引き戸９の全閉状態において、作業員が温室１内へ入る際に、上記開制御装置２０の足踏みペダル２２を踏むと、ブレーキワイヤー２１がフック金具１９を下方へ引っ張って矢印方向へ移動させ（図６参照）、前記引き戸９と連結されている受け部材１８を掛け外す（点線）。すると、引き戸９は、上記駆動用バネ１６の自開力により、駆動パイプ１１の上端部を支点として振り子移動し、自動的に全開位置まで移動される（図７参照）。
【００２９】
この引き戸９を全閉するには、引き戸９を手動で全閉位置まで持って行く。引き戸９を閉じる初動時に駆動用バネ１６の作用力は殆ど働いていないので、通例必要とされる初動力で引き戸９は閉じ始め、後は、軽い力でストッパー機構１９に止められるまで働かせばよいから、強い力を必要とせずスムーズに引き戸を閉めることができる。夏季に簡易温室１内が甚だしく高温となるような場合においては、過度の温度上昇を防ぐための換気目的として閉めない場合もある。
【００３０】
図示例では、足踏みペダル機構２１によりブレーキワイヤー２１を引っ張る構成を示したが、この限りではなく押しレバー機構を引き戸９の表裏に設置し、腕や台車の一部等で同押しレバー機構を押すことでブレーキワイヤー２１を引っ張り引き戸９を開かせる構成とすることも好適に実施できる。
【００３１】
本実施例では、出入り口２を開閉する２枚の引き戸９、９のうち片側に設置される簡易温室の半自動開ドア装置の構成についてのみ説明してきたが、勿論、両側とも同じ構成の半自動開ドア装置が設置されている。すると、前記開制御装置２０は当然２セット設置されており、ブレーキワイヤー２１は温室の内外に二本づつ伸びている（図１及び図７参照）。この二本のブレーキワイヤー２１の引っ張り動作を一つの足踏みペダル２２で行わせて、一回のペダル踏みで２枚の引き戸９、９を同時に全開させる構成とすることが好適に実施される。勿論、一本のブレーキワイヤー２１に対して一つの足踏みペダル２２をそれぞれに用意して引き戸９、９を別々に開閉させる構成としてもよい。
【００３２】
以上に本発明の実施例を説明したが、本発明はこうした実施例に何ら限定されるものではなく、本発明の要旨を逸脱しない範囲において、種々の形態で実施し得る。
例えば図示した実施例は、下レール走行型引き戸に実施した例を示したが、懸垂型の吊り式引き戸においてもほぼ同様な構成で実施できる。
簡易温室１の側面や妻面、天井面に、引き戸形式で開閉自在な換気用窓を設置した場合には、その窓用引き戸の自動開放手段として応用することができる。
【図面の簡単な説明】
【００３３】
【図１】本発明に係る簡易温室の半自動開ドア装置を簡易温室の妻面に適用した斜視図である。
【図２】本発明に係る簡易温室の半自動開ドア装置の全体構成を示した立面図である。
【図３】図２のＩ−Ｉ線矢視の断面図である。
【図４】Ａは駆動パイプのガイドローラとガイドレール材との連結部分を示した立面図である。ＢはＡのＩＩ−ＩＩ線矢視の断面図である。
【図５】Ａは引き戸の自開力の変化と駆動用バネの弾性力を引き戸の開度との関係で示したグラフである。Ｂは駆動パイプと駆動用バネの作用状態を示す図である。
【図６】引き戸に設けられたストッパー機構と開制御機構の具体的構成を示した斜視図である。
【図７】本発明に係る簡易温室の半自動開ドア装置による全開状態を示す斜視図である。
【符号の説明】
【００３４】
１        簡易温室
２        出入り口
３        温室構成材
１１      駆動パイプ
１２      伸縮機構
１３      ガイドローラ
１４      ガイドレール材
１６      駆動用バネ
１７      ストッパー機構
２０      開制御手段    
【図１】
2010019041.tif 000003
【図２】
2010019041.tif 000004
【図３】
2010019041.tif 000005
【図４】
2010019041.tif 000006
【図５】
2010019041.tif 000007
【図６】
2010019041.tif 000008
【図７】
2010019041.tif 000009